(57)【要約】【課題】  複数のチャプタを有する動画から所望の瞬間のシーン画像を効率的に検索する。【解決手段】  本発明に係る動画処理装置１１は、所定の再生時間を呈する動画データを記憶する動画データ記憶部１７と、前記動画を所定の単位時間毎に複数の大ブロックに分割する大ブロック分割部３１と、前記各大ブロックの画像変化の複雑さを数値化する複雑さ分析部３３と、前記各大ブロックに係る再生時間を、前記複雑さ分析部３３で求められた対応する複雑さに係る数値により複数の小ブロックにそれぞれ分割する小ブロック分割部３５と、前記複数の小ブロックを時系列に沿って所定数毎に順次区切ることでチャプタを作成するチャプタ作成部３７と、を備えてなる。【選択図】図１
2011130007.tif 000002
【特許請求の範囲】
【請求項１】
動画のデータを記憶する動画データ記憶部と、
前記動画を所定の単位時間毎に複数の大ブロックに分割する大ブロック分割部と、
分割された各大ブロックの画像変化の複雑さに係る数値を求める複雑さ分析部と、
前記各大ブロックに係る再生時間を、前記複雑さ分析部で求められた対応する複雑さに係る数値により複数の小ブロックにそれぞれ分割する小ブロック分割部と、
前記複数の小ブロックを時系列に沿って所定数毎に順次区切ることでチャプタを作成するチャプタ作成部と、
を備えたことを特徴する動画処理装置。
【請求項２】
請求項１記載の動画処理装置であって、
前記所定数は、前記各大ブロックの複雑さに係る数値の総和を、前記複数の大ブロックの分割数で除した値であり、
前記チャプタ作成部で作成された複数のチャプタは、それぞれの画像変化の複雑さの時間積分値が均等化された、
ことを特徴とする動画処理装置。
【請求項３】
請求項１又は２記載の動画処理装置であって、
前記各チャプタに属するシーン画像をプレビュー表示するプレビュー表示部を備え、
前記プレビュー表示部では、画像変化の複雑さが大きいチャプタに属するシーン画像はスロー再生によりプレビュー表示され、画像変化の複雑さが小さいチャプタに属するシーン画像は早送り再生によりプレビュー表示される、
ことを特徴とする動画処理装置。
【請求項４】
請求項１〜３のいずれか一項に記載の動画処理装置であって、
前記プレビュー表示部でプレビュー表示されたチャプタに属するシーン画像から一のシーン画像を選択操作するためのシーン画像選択操作部と、
各シーン画像に関連付けて対応するシーン画像の類似画像群を記憶する類似画像群記憶部と、
前記選択された一のシーン画像と、前記類似画像群記憶部の記憶内容とに基づいて、当該一のシーン画像の類似画像群から最もシャープなシーン画像を抽出するシーン画像抽出部と、
前記抽出されたシーン画像を印刷するシーン画像印刷部と、
を備えたことを特徴とする動画処理装置。
【請求項５】
コンピュータに、
所定の再生時間を呈する動画を所定の単位時間毎に複数の大ブロックに分割する大ブロック分割機能と、
分割された各大ブロックの画像変化の複雑さに係る数値を求める複雑さ分析機能と、
前記各大ブロックに係る前記再生時間を、前記分析機能により求められた対応する複雑さに係る数値により複数の小ブロックにそれぞれ分割する小ブロック分割機能と、
前記複数の小ブロックを先頭から時系列に沿って所定数毎に順次区切ることでチャプタを作成するチャプタ作成機能と、を実現させる、
ことを特徴とする動画処理プログラム。
【発明の詳細な説明】
【技術分野】
【０００１】
本発明は、複数のチャプタを有する動画から所望の瞬間のシーン画像を効率的に検索可能とする動画処理装置、及び動画処理プログラムに関する。
【背景技術】
【０００２】
近年のインターネットのブロードバンド化等によって、デジタルコンテンツの流通量が増大している。こうしたデジタルコンテンツに対し、メタデータを付加してコンピュータで効率よく管理・処理しようという試みがなされている。
【０００３】
こうした試みの例として、動画を複数のチャプタに分割すると共に、同分割点にメタデータを付加することが行われている（例えば特許文献１参照）。また、動画を複数のチャプタに分割する方法としては、前記特許文献１に示すように、動画を所定のチャプタ数に等分割する方法や、動画を所定の再生時間に区切って等分割する方法が知られている。
【０００４】
特許文献１に係るチャプタ分割技術によれば、シーン画像の頭出しや検索が容易となって、動画から所望のシーン画像を切り出して印刷する等、ユーザの利便性を向上することができる。
【０００５】
ところで、一般に動画では、時系列に沿う画像の動きの変化は、あるところでは緩やかであるが、あるところでは急激であるというように、絶えず変動して一定ではない。
【０００６】
しかしながら、特許文献１に記載のチャプタ分割方法では、動画が一般に有する画像の動きの変化を考慮することなく、換言すれば、画像の動きの変化の緩やかな部分か急激な部分かに関わらず動画が複数のチャプタに画一的に分割される。このため、各チャプタに属する動画のデータ量に大きなバラツキを生じるおそれがあった。
【０００７】
こうしたデータ量のバラツキの大きいチャプタ間をまたいでシーン画像の検索を効率よく遂行しようとすると、データ量の小さいチャプタでは検索に要する時間は短いが、データ量の大きいチャプタでは検索に要する時間は長くなるなど、複数のチャプタ間でシーン画像の検索に要する時間が大きく異なるものとなるおそれがある。この結果、複数のチャプタを有する動画から所望の瞬間のシーン画像を検索するのに長時間を要し、ユーザの利便性が損なわれるおそれがあった。
【先行技術文献】
【特許文献】
【０００８】
【特許文献１】特開２００６−２４６４４６号公報
【発明の概要】
【発明が解決しようとする課題】
【０００９】
発明が解決しようとする課題は、従来のチャプタ分割方法では、複数のチャプタを有する動画から所望の瞬間のシーン画像を検索するのに長時間を要し、ユーザの利便性が損なわれるおそれがあった点である。
【課題を解決するための手段】
【００１０】
本発明に係る動画処理装置は、動画のデータを記憶する動画データ記憶部と、前記動画を所定の単位時間毎に複数の大ブロックに分割する大ブロック分割部と、分割された各大ブロックの画像変化の複雑さに係る数値を求める複雑さ分析部と、前記各大ブロックに係る再生時間を、前記複雑さ分析部で求められた対応する複雑さに係る数値により複数の小ブロックにそれぞれ分割する小ブロック分割部と、前記複数の小ブロックを先頭から時系列に沿って所定数毎に順次区切ることでチャプタを作成するチャプタ作成部と、を備えたことを最も主要な特徴とする。
【００１１】
本発明に係る動画処理プログラムは、コンピュータに、所定の再生時間を呈する動画を所定の単位時間毎に複数の大ブロックに分割する大ブロック分割機能と、分割された各大ブロックの画像変化の複雑さに係る数値を求める複雑さ分析機能と、前記各大ブロックに係る前記再生時間を、前記分析機能により求められた対応する複雑さに係る数値により複数の小ブロックにそれぞれ分割する小ブロック分割機能と、前記複数の小ブロックを先頭から時系列に沿って所定数毎に順次区切ることでチャプタを作成するチャプタ作成機能と、を実現させることを最も主要な特徴とする。
【発明の効果】
【００１２】
本発明に係る動画処理装置及び動画処理プログラムでは、複数のチャプタを有する動画から所望の瞬間のシーン画像を効率的に検索することができる。
【図面の簡単な説明】
【００１３】
【図１】実施例に係る動画処理装置の機能ブロック図である。
【図２】実施例に係る動画処理装置の動作説明に供するフローチャートである。
【図３】図３は、実施例に係る動画処理装置の動作説明に供する図であり、図３（Ａ）は、動画を大ブロックに均等分割する工程を示す説明図、図３（Ｂ）は、複数の小ブロックを先頭から時系列に沿って所定数毎に順次区切ってチャプタ化した状態を示す説明図である。
【発明を実施するための形態】
【００１４】
複数のチャプタを有する動画から所望の瞬間のシーン画像を効率的に検索可能とするといった目的を、（１）動画を所定の単位時間毎に複数の大ブロックに分割し、（２）各大ブロックに係る再生時間を、画像変化の複雑さに応じて複数の小ブロックにそれぞれ分割し、（３）こうして分割された複数の小ブロックを先頭から時系列に沿って所定数毎に順次区切ることでチャプタを作成することによって実現した。
【実施例】
【００１５】
本発明の実施例に係る動画処理装置、及び動画処理プログラムについて、本動画処理プログラムがインストールされたデジタル複合機を例示して、図面を参照して詳細に説明する。
［動画処理装置のブロック構成］
図１は、実施例に係る動画処理装置の機能ブロック図である。
【００１６】
図１に示すように、本発明の動画処理装置に相当するデジタル複合機１１は、コンピュータ１３、操作パネル１５、記憶部１７、及び印刷部２１を備えて構成される。
【００１７】
コンピュータ１３は、ソフトウェアプログラムを実行して、デジタル複合機１１の動作を制御する装置である。コンピュータ１３は、ＣＰＵ（Central Processing Unit）及びＲＡＭ（Random Access Memory）を有する。ＣＰＵは、ソフトウェアプログラムに記述された処理を実行する演算処理装置である。ＲＡＭは、ソフトウェアプログラムを実行する際にそのソフトウェアプログラムおよびデータを一時的に記憶して、作業領域として用いるメモリである。
【００１８】
コンピュータ１３は、後述する記憶部１７に記憶された各種のソフトウェアプログラムのうち、指示された所定のプログラムを実行することにより、各種の機能を実現する。特に所定のプログラムが動作処理プログラムであるとき、コンピュータ１３は、この動画処理プログラムを実行することにより、大ブロック分割部３１、複雑さ分析部３３、小ブロック分割部３５、チャプタ作成部３７、及びシーン画像抽出部３９を含む各機能部を構成する。
【００１９】
大ブロック分割部３１は、所定の再生時間を呈する動画を所定の単位時間毎に複数の大ブロックに分割する機能を有する。
【００２０】
本実施例では、対象となる動画データ４５として、再生基準となる画像データ及びその差分データからなる複数の静止画フレームを所定の速度で連続再生するＭＰＥＧ（Motion Picture Experts Group）形式の動画データを例示して説明を進める。
【００２１】
複雑さ分析部３３は、大ブロック分割部３１により分割された各大ブロックの画像変化の複雑さの度合いを数値化する機能を有する。ここで、画像変化の複雑さとは、画像の動きの激しさを表す指標である。本実施例では、画像変化の複雑さを６段階に設定し、緩やかに変化している画像に対しその段階に応じて１〜２の数値を、中位に変化している画像に対してその段階に応じて３〜４の数値を、激しく変化している画像に対しその段階に応じて５〜６の数値をそれぞれ割り付けることにより、各大ブロックの画像変化の複雑さを数値化している。
【００２２】
なお、画像変化の複雑さデータは、例えば、画像フレーム中のある画素（複数の画素をグループ化したものを含む）に注目し、同画素の色彩変化に基づいて取得すればよい。また、画像変化の複雑さデータを、例えば特開２００９−７６９７２号公報に示すように、公知のＭＰＥＧの動き検出データ（動きベクトル）に基づいて取得してもよい。ちなみに、動きベクトルとは、動画データを表現するための特性値のひとつであり、"基準となるフレーム(動画のある瞬間に相当する画像)"と、"基準となるフレームからの動き"とをベクトルデータとして表現したものである。
【００２３】
小ブロック分割部３５は、前記各大ブロックに係る再生時間を、複雑さ分析部３３で求められた対応する複雑さに係る数値により除することで複数の小ブロックにそれぞれ分割する機能を有する。
【００２４】
チャプタ作成部３７は、前記複数の小ブロックを時系列に沿って所定数毎に順次区切ることでチャプタを作成する機能を有する。前記所定数は、実際には、前記各大ブロックの複雑さに係る数値の総和を、前記複数の大ブロックの分割数で除した値である。該チャプタ作成部３７で作成された各チャプタは、後で詳しく説明するが、それぞれの画像変化の複雑さの時間積分値が均等化されている。
【００２５】
シーン画像抽出部３９は、ユーザによって選択操作されたシーン画像と、記憶部１７に記憶された後述する類似画像群テーブル４７とに基づいて、当該一のシーン画像の類似画像群から最もシャープなシーン画像を抽出する機能を有する。
【００２６】
操作パネル１５は、図１に示すように、タッチパネル部４１及び機能キー部４３を有する。この操作パネル１５は、ユーザが各種操作を行うために使用され、ユーザによる操作指令等をコンピュータ１３に与える。
【００２７】
タッチパネル部４１は、本発明のプレビュー表示部に相当するものであり、タッチパネルとカラーＬＣＤ（Liquid Crystal Display）とを組み合わせたタッチパネルユニット等から構成される。このタッチパネル部４１は、ユーザが対応部分をタッチすることにより種々の操作指令を入力するための操作ボタン類を表示する。
【００２８】
機能キー部５５は、本発明のシーン画像選択操作部に相当するものである。機能キー部５５は、画像形成並びに動画処理に関する各種機能に係る項目を選択乃至設定する際に操作される複数の機能キーを備えている。この機能キー部５５をユーザが操作することによって、タッチパネル部４１にプレビュー表示されたシーン画像のなかから、ユーザ所望の瞬間のシーン画像が選択操作される。
【００２９】
記憶部１７は、半導体記憶装置からなる一次記憶装置と、磁気ディスク装置等からなる二次記憶装置とから構成される。この記憶部１７は、画像形成並びに動画処理に係る各種のソフトウェアプログラムやデータ等を記憶する機能を有する。
【００３０】
具体的には、記憶部１７には、処理対象となる動画データ４５と、類似画像群テーブル４７とが記憶されている。この類似画像群テーブル４７には、複数の観点から選ばれた複数のシーン画像にそれぞれ関連付けて、対応する類似画像群が記憶されている。
【００３１】
印刷部２１は、本発明のシーン画像印刷部に相当するものであり、ユーザによって選択されたシーン画像を用紙上に転写して出力する印刷エンジンである。
［動画処理装置の動作］
次に、実施例に係る動画処理装置の動作について、図２及び図３を参照して説明する。
【００３２】
図２は、実施例に係る動画処理装置の動作説明に供するフローチャートである。図３は、本動画処理装置の動作説明に供する図であり、図３（Ａ）は、ＭＰＥＧ形式の動画データを大ブロックに均等分割する工程を示す説明図、図３（Ｂ）は、複数の小ブロックを先頭から時系列に沿って所定数毎に順次区切ってチャプタ化した状態を示す説明図である。
【００３３】
ステップＳ１１において、図２に示すように、コンピュータ１３は、記憶部１７から処理対象となるＭＰＥＧ形式の動画データ４５を読み出す。
【００３４】
ステップＳ１２において、大ブロック分割部３１は、図３（Ａ）に示すように、動画データ４５を所定の単位時間毎に例えば”１０”個の複数の大ブロックＸ１，Ｘ２，Ｘ３，・・・，Ｘ１０に均等分割する。具体的には、動画データ４５の再生時間が仮に”３０分”であるとすると、該動画データ４５は、単位時間”３分”毎に”１０”個の複数の大ブロックＸ１，Ｘ２，Ｘ３，・・・，Ｘ１０に均等分割される。
【００３５】
図３（Ａ）に示すグラフは、単位時間毎の大ブロックの画像変化の複雑さを標本化し、棒グラフで示したものである。横軸は再生時間を示す。縦軸は画像変化の複雑さを示し、棒の長さが長いほどその単位時間の画像変化が複雑であることを示す。図３（Ａ）の例では、動画の総再生時間はＴで、Ｔをある定数で分割している。本実施例では、総再生時間Ｔを”１０”で分割した。
【００３６】
ステップＳ１３において、複雑さ分析部３３は、図３（Ａ）に示すように、大ブロックＸ１，Ｘ２，Ｘ３，・・・，Ｘ１０（単位時間”３分”）毎の画像変化の複雑さの度合いを数値化する。こうして求められた画像変化の複雑さに係る数値が、図３（Ａ）の各グラフの上部に、前記複数の大ブロックＸ１，Ｘ２，Ｘ３，・・・，Ｘ１０毎に対応付けて記述されている。
【００３７】
具体的には、本実施例では、大ブロックＸ１（１；但し、カッコ内に画像変化の複雑さに係る数値を示す。以下同じ。），大ブロックＸ２（１），大ブロックＸ３（２），大ブロックＸ４（３），大ブロックＸ５（５），大ブロックＸ６（６），大ブロックＸ７（６），大ブロックＸ８（４），大ブロックＸ９（４），大ブロックＸ１０（３）となる。
【００３８】
なお、前記画像変化の複雑さデータは、画像フレーム中のある画素（複数の画素をグループ化したものを含む）に注目し、同画素の色彩変化に基づいて取得するか、又は、ＭＰＥＧの動き検出データ（動きベクトル）に基づいて取得される。
【００３９】
次いで、ステップＳ１４において、小ブロック分割部３５は、図３（Ｂ）に示すように、大ブロックＸ１，Ｘ２，Ｘ３，・・・，Ｘ１０それぞれに係る再生時間（前記単位時間である”３分間”）を、複雑さ分析部３３で求められた対応する複雑さに係る数値により除することで複数の小ブロックにそれぞれ分割する。
【００４０】
具体的には、例えば、大ブロックＸ３（３）では、再生時間”３分間”を、対応する複雑さに係る数値”３”により除することで３つの小ブロック（各ブロックの再生時間はそれぞれ”１分間”）に分割される。また、大ブロックＸ７（６）では、再生時間”３分間”を、対応する複雑さに係る数値”６”により除することで６つの小ブロック（各ブロックの再生時間はそれぞれ”０．５分間”）に分割される。
【００４１】
ステップＳ１５において、チャプタ作成部３７は、前記複数の小ブロックを時系列に沿って所定数毎に順次区切ることでチャプタを作成する。前記所定数は、実際には、大ブロックＸ１，Ｘ２，Ｘ３，・・・，Ｘ１０それぞれの複雑さに係る数値の総和である”３５”を、前記複数の大ブロックの分割数”１０”で除した値”３．５”である。
【００４２】
チャプタ作成部３７のチャプタ作成処理によって、図３（Ｂ）に示すように、動画データ４５の開始点であるチャプタ分岐点ＣＨ０を起点として、前記複数の小ブロックを時系列に沿って所定数”３．５”毎に区切ることで、チャプタ分岐点ＣＨ０〜ＣＨ１で区画されるチャプタ”Ａ”が作成される。なお、図３（Ｂ）において、各チャプタの分岐点を矢印で示した。
【００４３】
前記と同様に、チャプタ分岐点ＣＨ１を起点として、前記複数の小ブロックを時系列に沿って所定数”３．５”毎に区切ることで、チャプタ分岐点ＣＨ１〜ＣＨ２で区画されるチャプタ”Ｂ”が作成される。
【００４４】
前記と同様に、チャプタ分岐点ＣＨ３を起点として、前記複数の小ブロックを時系列に沿って所定数”３．５”毎に区切ることで、チャプタ分岐点ＣＨ３〜ＣＨ４で区画されるチャプタ”Ｃ”が作成される。
【００４５】
以下同様に、その他のチャプタ”Ｄ〜Ｉ”が順次作成される。
【００４６】
図３（Ｂ）を解析すると、画像変化の複雑さが大きいチャプタ（例えば、図３（Ｂ）に示すチャプタＥ，Ｆ等）ほど、その再生時間が短くなっていることがわかる。
【００４７】
本実施例で重要な点は、前述の手順で作成されたチャプタＡ，Ｂ，Ｃ，・・・は、それぞれの画像変化の複雑さの時間積分値が均等化されている点である。換言すれば、チャプタＡ，Ｂ，Ｃ，・・・毎の情報量は、ほぼ均等化されている。これは、一般に、動画に含まれる情報量と検索の労力との間に相関関係があるとの前提に基づけば、複数のチャプタＡ，Ｂ，Ｃ，・・・間の検索の労力を均等化できることを意味する。
【００４８】
従って、本実施例に係る動画処理方法によれば、複数のチャプタを有する動画から所望の瞬間のシーン画像を効率的に検索することができる。
【００４９】
さて、ステップＳ１６において、コンピュータ１３は、ユーザによってシーン画像の検索処理が実行されたか否かを判定する。
【００５０】
ステップＳ１６の判定の結果、コンピュータ１３は、シーン画像の検索処理が実行されないときには全ての処理の流れを終了させる一方、シーン画像の検索処理が実行されたときには、処理の流れをステップＳ１７へと進ませる。
【００５１】
ステップＳ１７において、コンピュータ１３は、ユーザによって選択されたチャプタに属するシーン画像をタッチパネル部４１の表示画面上にプレビュー表示させる。こうしてプレビュー表示されたシーン画像を視覚を通じて順次確認することによって、ユーザ所望の瞬間のシーン画像の検索操作が実行される（ステップＳ１８）。
【００５２】
前記検索時のプレビュー表示態様としては、画像変化の複雑さが大きいチャプタに属するシーン画像はスロー再生によりプレビュー表示される。ここで、画像変化の複雑さが大きいチャプタ（例えば、図３（Ｂ）に示すチャプタＥ，Ｆ等）とは、一般に、そこに含まれる情報量の大きいチャプタを意味する。
【００５３】
こうした情報量の大きいチャプタでは、スロー（コマ送り）再生モードで順次プレビュー表示しながら所望のシーン画像を検索することによって、ユーザ所望の瞬間のシーン画像を見落とすことなく的確に探し当てることができる。
【００５４】
一方、画像変化の複雑さが小さいチャプタに属するシーン画像は早送り再生によりプレビュー表示される。ここで、画像変化の複雑さが小さいチャプタ（例えば、図３（Ｂ）に示すチャプタＡ，Ｂ等）とは、一般に、そこに含まれる情報量の小さいチャプタを意味する。
【００５５】
こうした情報量の小さいチャプタでは、早送り再生モードで順次プレビュー表示しながら所望のシーン画像を検索することによって、検索時間の短縮化を図りながらユーザ所望の瞬間のシーン画像を的確に探し当てることができる。
【００５６】
ステップＳ１９において、コンピュータ１３は、ユーザによってシーン画像の選択操作が実行されたか否かを判定する。
【００５７】
ステップＳ１９の判定の結果、コンピュータ１３は、シーン画像の選択操作が実行されないときには全ての処理の流れを終了させる一方、シーン画像の選択操作が実行されたときには、処理の流れをステップＳ２０へと進ませる。
【００５８】
ステップＳ２０において、シーン画像抽出部３９は、ユーザによって選択操作されたシーン画像と、記憶部１７に記憶された類似画像群テーブル４７とに基づいて、当該一のシーン画像の類似画像群から最もシャープなシーン画像を抽出する。
【００５９】
このシーン画像の抽出処理は、前記類似画像群に属する各シーン画像のエッジ部分に注目し、該エッジ部分の輪郭がはっきりしているシーン画像を、最もシャープなシーン画像として抽出すればよい。
【００６０】
ステップＳ２１において、コンピュータ１３は、前記抽出されたシーン画像を印刷部２１によって用紙上に転写して出力させる。これにより、ユーザは、自身が所望する瞬間のシーン画像であって、鮮明度の高いシーン画像の出力物を簡易かつ自動的に得ることができる。
【００６１】
そして、ステップＳ２１の印刷処理後に、コンピュータ１３は、一連の処理の流れを終了させる。
［実施例の効果］
本実施例に係る動画処理装置では、動画を所定の単位時間毎に複数の大ブロックに分割し、分割された各大ブロックの画像変化の複雑さを数値化し、前記各大ブロックに係る再生時間を、対応する複雑さに係る数値により複数の小ブロックにそれぞれ分割し、前記複数の小ブロックを先頭から時系列に沿って所定数毎に順次区切ることでチャプタを作成する構成を採用した。このため、複数のチャプタを有する動画から所望の瞬間のシーン画像を効率的に検索することができる。
【００６２】
また、本実施例に係る動画処理装置では、チャプタ作成部３７において複数の小ブロックを区切る際に用いる前記所定数は、前記各大ブロックの複雑さに係る数値の総和を、前記複数の大ブロックの分割数で除した値であり、チャプタ作成部３７で作成されたチャプタＡ，Ｂ，Ｃ，・・・は、それぞれの画像変化の複雑さの時間積分値が均等化された。換言すれば、前記チャプタＡ，Ｂ，Ｃ，・・・毎の情報量は、ほぼ均等化された。
【００６３】
これは、一般に、動画に含まれる情報量と検索の労力との間に相関関係があるとの前提に基づけば、前記複数のチャプタＡ，Ｂ，Ｃ，・・・間の検索の労力を均等化できることを意味する。
【００６４】
従って、本実施例に係る動画処理装置によれば、複数のチャプタを有する動画から所望の瞬間のシーン画像を効率的に検索することができる。
【００６５】
さらに、本実施例に係る動画処理装置では、前記各チャプタに属するシーン画像をプレビュー表示するプレビュー表示部（タッチパネル４１）を備え、このプレビュー表示では、画像変化の複雑さが大きいチャプタに属するシーン画像はスロー再生によりプレビュー表示される構成を採用した。
【００６６】
ここで、画像変化の複雑さが大きいチャプタ（例えば、図３（Ｂ）に示すチャプタＥ，Ｆ等）とは、一般に、そこに含まれる情報量の大きいチャプタを意味する。こうした情報量の大きいチャプタでは、スロー（コマ送り）再生モードで順次プレビュー表示しながら所望のシーン画像を検索することによって、ユーザ所望の瞬間のシーン画像を見落とすことなく的確に探し当てることができる。
【００６７】
一方、画像変化の複雑さが小さいチャプタに属するシーン画像は早送り再生によりプレビュー表示される構成を採用した。ここで、画像変化の複雑さが小さいチャプタ（例えば、図３（Ｂ）に示すチャプタＡ，Ｂ等）とは、一般に、そこに含まれる情報量の小さいチャプタを意味する。こうした情報量の小さいチャプタでは、早送り再生モードで順次プレビュー表示しながら所望のシーン画像を検索することによって、検索時間の短縮化を図りながらユーザ所望の瞬間のシーン画像を的確に探し当てることができる。
【００６８】
しかも、本実施例に係る動画処理装置では、前記プレビュー表示によってプレビュー表示されたチャプタに属するシーン画像から一のシーン画像を選択するシーン画像選択部（操作キー部４３）と、前記選択された一のシーン画像の類似画像群から最もシャープなシーン画像を抽出するシーン画像抽出部３９と、前記抽出されたシーン画像を印刷するシーン画像印刷部（印刷部２１）とを備える。このため、ユーザは、自身が所望する瞬間のシーン画像であって、鮮明度の高いシーン画像の出力物を簡易かつ自動的に得ることができる。
【００６９】
そして、本実施例に係る動画処理プログラムでは、コンピュータに、所定の再生時間を呈する動画を所定の単位時間毎に複数の大ブロックに分割する大ブロック分割機能と、前記大ブロック分割機能により分割された各大ブロックの画像変化の複雑さに係る数値を求める複雑さ分析機能と、前記各大ブロックに係る再生時間を、前記求められた対応する複雑さに係る数値により複数の小ブロックにそれぞれ分割する小ブロック分割機能と、前記複数の小ブロックを先頭から時系列に沿って所定数毎に順次区切ることでチャプタを作成するチャプタ作成機能と、を実現させる構成を採用した。このため、複数のチャプタを有する動画から所望の瞬間のシーン画像を効率的に検索することができる。
【００７０】
最後に、本実施例に係る動画処理装置又は動画処理プログラムでは、例えば、各チャプタに共通の容量制限が課されている場合に、各チャプタのデータ量を制限容量以内に的確に抑えることができるといった、副次的な効果を期待することができる。
［その他］
本発明は、上述した実施例に限られるものではなく、請求の範囲及び明細書全体から読み取れる発明の要旨、あるいは技術思想に反しない範囲で適宜変更可能であり、そのような変更を伴う動画処理装置、及び動画処理プログラムもまた、本発明の技術的範囲の射程に包含される。
【００７１】
すなわち、本発明の実施例中、本発明に係る動画処理プログラムをデジタル複合機にインストールすることによって動画処理装置を構成する例をあげて説明したが、本発明はこの例に限定されない。本発明に係る動画処理装置は、例えば、動画を再生処理可能なパーソナル・コンピュータ（ＰＣ：Personal Computer）に、本発明に係る動画処理プログラムをインストールすることによって構成してもよい。
【００７２】
また、上記の実施例では、ＭＰＥＧ形式の動画データを動画処理の対象としたが、他の形式の動画データを対象としてもよい。例えば、個々の独立した複数の静止画データと各静止画データを表示する順序・時間・各種表示効果からなる静止画再生指示データとを含むスライドショー形式の動画データを動画処理の対象としてもよい。
【符号の説明】
【００７３】
１１  デジタル複合機（動画処理装置）
１３  コンピュータ
１５  操作パネル
１７  記憶部
２１  印刷部（シーン画像印刷部）
３１  大ブロック分割部
３３  複雑さ分析部
３５  小ブロック分割部
３７  チャプタ作成部
３９  シーン画像抽出部
４１  タッチパネル部（プレビュー表示部）
４３  操作キー部（シーン画像選択操作部）
４５  動画データ（動画）
４７  類似画像群テーブル
【図１】
2011130007.tif 000003
【図２】
2011130007.tif 000004
【図３】
2011130007.tif 000005